(57)【要約】【課題】  本発明は、化粧料等が飛散することなく鏡の分離を円滑に行うことができ、鏡の取り外し作業後のコンパクト容器の分別回収が容易であり、鏡の分離時に使用者を傷つける可能性がないコンパクト容器を提供することを目的とする。【解決手段】  本発明に係る代表的なコンパクト容器は、化粧料等の内容物を収容する容器本体２と、容器本体２との間に回動軸６を通してヒンジ部41とし、開閉自在に連結した蓋体３とからなるコンパクト容器１であって、蓋体３にはヒンジ部41近傍に開口したスリット３ｂを通して鏡５を挿入して保持するポケット３ａが形成され、さらに、回動軸６に枢着し、蓋体３のスリット３ｂを閉鎖する位置と開放する位置とに回動可能な押さえ部材４を有することを特徴とする。【選択図】    図２
2005152333.tif 000002
【特許請求の範囲】
【請求項１】
化粧料等の内容物を収容する容器本体と、該容器本体との間に回動軸を通してヒンジ部とし、開閉自在に連結した蓋体とからなるコンパクト容器であって、
前記蓋体にはヒンジ部近傍に開口したスリットを通して鏡を挿入して保持するポケットが形成され、さらに、前記回動軸に枢着し、前記蓋体のスリットを閉鎖する位置と開放する位置とに回動可能な押さえ部材を有することを特徴とするコンパクト容器。
【請求項２】
請求項１記載のコンパクト容器であって、
前記押さえ部材は、該押さえ部材を回動させる梃子としてのコイン等を挿入する操作スリットを外面に形成したことを特徴とするコンパクト容器。
【請求項３】
請求項１記載のコンパクト容器であって、
前記押さえ部材がスリットを閉鎖する位置にあるとき、前記鏡を前記蓋本体のポケットの奥側に付勢して固定することを特徴とするコンパクト容器。 
【発明の詳細な説明】
【技術分野】
【０００１】
本発明は、鏡を蓋体から簡単かつ安全に取り外すことができ、分別回収の要請に応えることができるコンパクト容器に関するものである。
【背景技術】
【０００２】
近年のごみ問題に鑑み、ごみの回収、資源としての再利用を目的として、容器を材質毎に分解し、これらを分別廃棄する使用者の意識が高まり、化粧品容器に関しても、コンパクト容器の大部分を形成する合成樹脂とは異なった異材質部材の分離を課題とした多くの発明が提案されている。
【０００３】
化粧料を収納して携帯するコンパクト容器の多くは、場所を選ばず手軽に使用者が化粧を行えるように、蓋体の天井面に鏡が取付けられている。しかしながら、硝子により構成されたこの鏡も、プラスチックが主材料である容器本体及び蓋体に対して異材質となるため、上述の理由によりコンパクト容器を廃棄する際、取り外すことが望ましい。
【０００４】
そして、鏡の分別廃棄を目的としたコンパクト容器として様々なものがある（例えば、特許文献１〜３）。
【０００５】
【特許文献１】特開平10-14652号公報
【特許文献２】特開平10-66622号公報
【特許文献３】特開2000-60635号公報
【発明の開示】
【発明が解決しようとする課題】
【０００６】
しかしながら、特許文献１に記載のコンパクト容器は、コンパクト容器を開いた状態で鏡の取り外し作業を行わなければならず、鏡の取り外し作業時にコンパクト容器内に残存した化粧料等が飛散し、鏡の分離を円滑に行うことができないという問題があった。
【０００７】
また、特許文献２に記載のコンパクト容器は、蓋体を蓋本体と天板の２部材に分解することにより鏡を取り外すため、天板を回収し忘れたりする等、鏡の取り外し作業後のコンパクト容器の分別回収が煩雑になるという問題があった。
【０００８】
また、特許文献３に記載のコンパクト容器は、弾性体により付勢された鏡を付勢力に抗してスライドさせて取り外すため、鏡をスライドさせる際に鏡に手を触れることとなり、使用者を傷つける可能性があるという問題があった。
【０００９】
そこで本発明は、化粧料等が飛散することなく鏡の分離を円滑に行うことができ、鏡の取り外し作業後のコンパクト容器の分別回収が容易であり、鏡の分離時に使用者を傷つける可能性がないコンパクト容器を提供することを目的とする。
【課題を解決するための手段】
【００１０】
上記課題を解決するために本発明に係る代表的なコンパクト容器は、化粧料等の内容物を収容する容器本体と、該容器本体との間に回動軸を通してヒンジ部とし、開閉自在に連結した蓋体とからなるコンパクト容器であって、前記蓋体にはヒンジ部近傍に開口したスリットを通して鏡を挿入して保持するポケットが形成され、さらに、前記回動軸に枢着し、前記蓋体のスリットを閉鎖する位置と開放する位置とに回動可能な押さえ部材を有することを特徴とする。
【発明の効果】
【００１１】
本発明により、化粧料等が飛散することなく鏡の分離を円滑に行うことができ、鏡の取り外し作業後のコンパクト容器の分別回収を容易に行うことができ、鏡を蓋体から安全に取り外すことができる。
【発明を実施するための最良の形態】
【００１２】
本発明に係るコンパクト容器の実施形態について、図を用いて説明する。図１は本実施形態にかかるコンパクト容器の斜視図、図２（ａ）はコンパクト容器の側断面図、図２（ｂ）はコンパクト容器の正面から見た断面図である。図３（ａ）、図３（ｂ）はそれぞれコンパクト容器の背面図、底面図である。図４は鏡を押さえる押さえ部材近傍の断面拡大図、図５は鏡の取り出しの説明図である。
【００１３】
図１、図２に示すように、コンパクト容器１は、合成樹脂製の容器本体２、蓋体３、押さえ部材４、鏡５を有し、容器本体２、蓋体３を後端で回動軸６によって開閉自在にヒンジ結合している。
【００１４】
容器本体２は、中央に化粧料等の内容物を収納する収納部21、背面にヒンジ用凹部22、正面に掛止凹部23を形成している。蓋体３は、背面にヒンジ用凸部32、正面にフック33を形成しており、内面全体に渡ってポケット３ａを形成している。
【００１５】
図３に示すように、ヒンジ用凸部32は、ヒンジ用凹部22に嵌め込まれ、両者の軸穴に回動軸６を通してヒンジ部とし、背面の左右を容器本体２に支持される。これにより、蓋体３が容器本体２に対して回動可能にヒンジ結合される。
【００１６】
図２に示すように、掛止凹部23内には、上端に係合突起24、下端に嵌合スリット25を形成している。また、掛止凹部23内には別体である押圧ボタン７を嵌合スリット25に沿って摺動可能に取り付けている。フック33は、蓋体３を閉じた際に容器本体２の係合突起24に掛止されて蓋体３を容器本体２に閉蓋状態でロックするようになっている。
【００１７】
押圧ボタン７は、前面に使用者が押圧する押圧部71、下面に嵌合スリット25に摺動可能に嵌合する嵌合部72を形成し、それらの間にロック解除片73を形成している。使用に際し、押圧部71を押圧することにより、嵌合部72が嵌合スリット25内へ摺動し、ロック解除片73の先端が掛止凹部23の壁面に沿って上昇してフック33を押し上げる。これにより、係合突起24とフック33のロックが解除され、蓋体３が開く。
【００１８】
蓋体３の中央に形成されるポケット３ａは、蓋体３の背面側に外側に開口するスリット３ｂ、蓋体３の内面に開口する窓部３ｃを形成している。ポケット３ａ内には、スリット３ｂから鏡５が挿入されており、窓部３ｃから鏡５がのぞく状態で、鏡５の裏面の天板部34と鏡５の表面の周縁を覆う枠部35とで鏡５を保持している。
【００１９】
図４に示すように、押さえ部材４は、下端にヒンジ部41、上端に押さえ部42、外面に操作スリット４ａを有し、押さえ部42の内面にバネ43を設けている。押さえ部材４は、ヒンジ部41の軸穴に回動軸６を通して回動軸６に枢着され、ヒンジ部41を中心にスリット３ａを閉鎖する位置と開放する位置とに回動可能に容器本体２にに連結されている。
【００２０】
押さえ部材４は、回動してヒンジ用凸部32の背面形成された嵌合凹部32ａに嵌脱し、押さえ部42がスリット３ｂに嵌脱する。押さえ部42は、下面に突起44を設けており、突起44が枠部35の上面に設けられた凹部36と係合して、押さえ部材４が嵌合凹部32ａ内にロックされている。
【００２１】
また、押さえ部材４は、蓋体３の回動とは別に回動可能であるが、通常の使用時は嵌合凹部32ａに嵌合した状態で蓋体３と一体となって回動する。
【００２２】
バネ43は、鏡５を蓋体３のポケット３ａの奥側に付勢して固定する付勢手段であって、押さえ部42がスリット３ｂに嵌合した状態でポケット３ａに挿入された鏡５を蓋体３の前方に付勢して鏡５のガタツキを防止している。また、バネ43はコンパクト容器１の落下時の鏡５の衝撃を吸収し、鏡５の破損を防止している。尚、本実施形態において、バネ43は、ハの字状の板バネとしたが、かかる形状に限定されるものではなく、鏡５を付勢する形状であればよく、さらにはゴム等の弾性体であってもよい。
【００２３】
操作スリット４ａは、押さえ部材４の上部に形成されている。この操作スリット４ａは、押さえ部材４を回動させる梃子としてのコイン等を挿入できるよう横長の形状を有しており、押さえ部材４を貫通した貫通孔となっている。
【００２４】
次に、コンパクト容器１から鏡５を取り出す方法について説明する。まず、図２に示すように、操作スリット４ａにコインＣを挿入し、コインＣの端を下向きに押し下げる。これにより、操作スリット４ａの奥へ挿入されたコインＣの他端が持ち上がり、突起44が凹部36から外れ、押さえ部材４が蓋体３とは別にヒンジ部41を中心に回動して嵌合凹部32ａから外れる。
【００２５】
さらに、図５に示すように、コインＣを押し下げて押さえ部材４を嵌合凹部32ａから完全に外した後、コンパクト容器１の背面を下方へ傾ける。これにより、バネ43により付勢されていた鏡５は自重によりスリット３ｂからコンパクト容器１外へ脱落し、鏡５を取り出すことができる。
【００２６】
上述のごとく、コンパクト容器１は、蓋体３を閉じた状態で鏡５の取り外し作業を行う構成としたことにより、鏡５の取り外し作業時にコンパクト容器１内に残存した化粧料等が飛散することを防止し、鏡５の分離を円滑に行うことができる。
【００２７】
また、容器本体２に回動自在に連結した押さえ部材４を蓋体３から外すことにより鏡５を簡単に取り外すことができる。このため、鏡５の取り外し作業後のコンパクト容器１の分別回収を容易に行うことができる。
【００２８】
また、押さえ部材４を回動してコンパクト容器１を傾けることにより、鏡５に手を触れることなく鏡５を取り外すことができ、鏡５の取り外し時の怪我を防止することができる。
【産業上の利用可能性】
【００２９】
本発明は、分別回収を必要とするコンパクト容器に適用出来る。
【図面の簡単な説明】
【００３０】
【図１】本実施形態にかかるコンパクト容器の斜視図である。
【図２】（ａ）コンパクト容器の側断面図、（ｂ）コンパクト容器の正面から見た断面図である。
【図３】（ａ）コンパクト容器の背面図、（ｂ）コンパクト容器の底面図である。
【図４】鏡を押さえる押さえ部材近傍の断面拡大図である。
【図５】鏡の取り出しの説明図である。
【符号の説明】
【００３１】
Ｃ    …コイン
１    …コンパクト容器
２    …容器本体
２ａ  …収納部
３    …蓋体
３ａ  …ポケット
３ｂ  …スリット
３ｃ  …窓部
４    …押さえ部材
４ａ  …操作スリット
５    …鏡
６    …回動軸
７    …押圧ボタン
21    …収納部
22    …ヒンジ用凹部
23    …掛止凹部
24    …係合突起
25    …嵌合スリット
32    …ヒンジ用凸部
32ａ  …嵌合凹部
33    …フック
34    …天板部
35    …枠部
36    …凹部
41    …ヒンジ部
42    …押さえ部
43    …バネ（付勢手段）
44    …突起
71    …押圧部
72    …嵌合部
73    …ロック解除片
【図１】
2005152333.tif 000003
【図２】
2005152333.tif 000004
【図３】
2005152333.tif 000005
【図４】
2005152333.tif 000006
【図５】
2005152333.tif 000007